(57)【特許請求の範囲】
【請求項１】
両側に長手方向に沿って全長に亘り半山部が形成された金属製の上板と金属製の下板との間に断熱材を一体化して金属屋根材を形成し、接続金具とセルフドリリングビスとにより隣接する金属屋根材の半山部を当接させて母屋に固定して接続し、前記当接する半山部にキャップを装着する金属屋根材の接続構造であって、
前記金属屋根材は、一側の下部に長手方向に沿って全長に亘り係合突部が形成され、他側の下部に長手方向に沿って全長に亘り前記係合突部と係合可能な係合凹部が形成され、
前記上板の半山部には、該半山部の上部が上方に延出し、上端が前記半山部側に折り返された係止部が形成され、
前記係合突部は、前記下板の一側が長手方向に沿って全長に亘り断面略角形をなして側方に突出し、端部が前記半山部に向って延出して前記断熱材の一側端面に固定されて形成され、
前記係合凹部は、前記下板の他側が長手方向に沿って全長に亘り前記係合突部と係合可能に凹み、端部が前記半山部に向って延出して前記断熱材の他側端面に固定されて形成され、
前記接続金具は、略Ｌ字形状をなし、前記係合突部に載置されて前記セルフドリリングビスにより前記母屋に共締め固定される水平部と、前記断熱材の端面に当接して上方に延出し上端に隣接する金属屋根材の断熱材を係止する係止部が設けられた垂直部が形成され、
前記キャップは、略逆Ｕ字形状をなし、隣接する金属屋根材の長手方向に沿って当接する前記半山部の係止部に全長に亘り装着され、両側部の下部に前記半山部の係止部の下端に係止される係止部が形成されており、
前記係合突部は、上面が平面に、端面が上端から下端まで内側に傾斜するテーパ面に形成され、前記係合凹部は、前記係合突部のテーパ面と対向する端面が該テーパ面に応じて上端から下端まで外側に傾斜するテーパ面に形成されかつ上部に前記セルフドリリングビスの頭部を収容する収容部が設けられ、
前記接続金具は、略Ｌ字形状をなし、前記係合突部に載置されて前記セルフドリリングビスにより前記母屋に共締め固定される水平部と、前記隣接する金属屋根材の半山部の間を通して上方に延出し上端に一側の半山部の係止部を上側から係止する第１の係止部と他側の半山部の係止部を上側から係止する第２の係止部が設けられた垂直部が形成され、
前記係合突部は、上面の前記断熱材の一側端面側に長手方向に沿って全長に亘り樋が形成されていることを特徴とする金属屋根材の接続構造。
【発明の詳細な説明】
【技術分野】
【０００１】
本発明は、金属屋根材の接続構造に関する。
【背景技術】
【０００２】
近年、郊外の広い店舗や倉庫などの屋根材として、縦葺の金属屋根材が用いられ始めている。これに伴い金属屋根材の接続構造も種々提案されている。金属屋根材の接続構造として、屋根下地（母屋）に断熱構造の金属屋根パネルを継ぐ構造のものがある（例えば、特許文献１参照）。
【０００３】
この金属屋根の接続構造は、図８に示すように屋根下地Ａに折版屋根パネルＰを左右方向に重ね継ぐもので、折版屋根パネルＰは、山部１ａ・１ｂと谷部２とを有して外側に位置する塗装鋼板製の金属屋根材３と内側に位置する下板との間に断熱材４が一体化されて形成されている。この折版屋根パネルＰは、隣接する金属屋根材３・３の左右両端の山部１ａ・１ｂの平坦面同士を重ね、これらの山部１ａ・１ｂの平坦部に外側上方からセルフドリリングビス５をねじ込んで屋根下地Aに固定されている。セルフドリリングビス５は、長尺の軸９の先端に切れ刃１０を有し、この切れ刃１０側から金属屋根材３・３の山部１ａ・１ｂの平坦面部分、断熱材４、ついで屋根下地Ａにねじ込まれており、ビス頭１１の外周部にキャップ受け１２が固定されている。
【先行技術文献】
【特許文献】
【０００４】
【特許文献１】特開２００４−３３９８２２号公報（図２、４−６頁）
【発明の概要】
【発明が解決しようとする課題】
【０００５】
しかしながら、上記接続構造においては、長尺のセルフドリリングビス５を隣接する金属屋根材３・３の重なる山部１ａ・１ｂの平坦面部分から断熱材４を貫通させて屋根下地Ａにねじ込ようになっている。そのため、軸９が曲がってねじ込まれて屋根下地Ａから外れてしまい金属屋根材３を屋根下地Ａに固定することができない場合がある。このため、施工性が悪く、熟練を要する作業となる。
【０００６】
また、金属屋根材３は、山部１ａ・１ｂを貫通するセルフドリリングビス５から雨水の浸入を防止して雨じまいを良くするために山部１ａ・１ｂが高く形成されており、これらの山部１ａ・１ｂから屋根下地Ａまでの高さが高くなる。この結果、セルフドリリングビス５が長尺となる。そして、セルフドリリングビス５が長尺であるために強度が低下し、金属屋根材３の傾斜によるそれ自身の荷重により破断する虞がある。
【０００７】
もともと、長尺のセルフドリリングビス５は、コストが高く、その上、上述のように破断を防止するために太くするとコストが更に高くなる。
【０００８】
また、セルフドリリングビス５のビス頭１１が金属屋根材３の山部１ｂの平坦面部から突出しているので、パッキン６、座金７やキャップ受け１２を装着していてもこれらのパッキン６、座金７やキャップ受け１２との間のシール部分の経年変化による劣化に起因して雨漏りの原因となるなどの問題がある。また、セルフドリリングビス５を締め過ぎるとビス頭１１が山部１ａ・１ｂに押し込まれて凹みが発生し、この凹みに雨水が溜まって雨漏りの原因となる。
【０００９】
更に、セルフドリリングビス５を介して金属屋根材３・３の山部１ａ・１ｂと金属の屋根下地Ａとが接続されていることにより、金属屋根材３と屋根下地Aとが熱的に接続され、熱歪に起因して金属屋根材３の変形やこれに伴う雨漏りの原因となる。
【００１０】
本発明の目的は、金属屋根材を短いセルフドリリングビスで接続金具を介して母屋に固定して施工性の向上を図ると共に、隣接する金属屋根材の接続部からの雨漏りを防止する金属屋根材の接続構造を提供することにある。
【課題を解決するための手段】
【００１１】
上述した課題を解決するために、本発明に係る金属屋根材の接続構造は、
両側に長手方向に沿って全長に亘り半山部が形成された金属製の上板と金属製の下板との間に断熱材を一体化して金属屋根材を形成し、接続金具とセルフドリリングビスとにより隣接する金属屋根材の半山部を当接させて母屋に固定して接続し、前記当接する半山部にキャップを装着する金属屋根材の接続構造であって、
前記金属屋根材は、一側の下部に長手方向に沿って全長に亘り係合突部が形成され、他側の下部に長手方向に沿って全長に亘り前記係合突部と係合可能な係合凹部が形成され、
前記上板の半山部には、該半山部の上部が上方に延出し、上端が前記半山部側に折り返された係止部が形成され、
前記係合突部は、前記下板の一側が長手方向に沿って全長に亘り断面略角形をなして側方に突出し、端部が前記半山部に向って延出して前記断熱材の一側端面に固定されて形成され、
前記係合凹部は、前記下板の他側が長手方向に沿って全長に亘り前記係合突部と係合可能に凹み、端部が前記半山部に向って延出して前記断熱材の他側端面に固定されて形成され、
前記接続金具は、略Ｌ字形状をなし、前記係合突部に載置されて前記セルフドリリングビスにより前記母屋に共締め固定される水平部と、前記断熱材の端面に当接して上方に延出し上端に隣接する金属屋根材の断熱材を係止する係止部が設けられた垂直部が形成され、
前記キャップは、略逆Ｕ字形状をなし、隣接する金属屋根材の長手方向に沿って当接する前記半山部の係止部に全長に亘り装着され、両側部の下部に前記半山部の係止部の下端に係止される係止部が形成されており、
前記係合突部は、上面が平面に、端面が上端から下端まで内側に傾斜するテーパ面に形成され、前記係合凹部は、前記係合突部のテーパ面と対向する端面が該テーパ面に応じて上端から下端まで外側に傾斜するテーパ面に形成されかつ上部に前記セルフドリリングビスの頭部を収容する収容部が設けられ、
前記接続金具は、略Ｌ字形状をなし、前記係合突部に載置されて前記セルフドリリングビスにより前記母屋に共締め固定される水平部と、前記隣接する金属屋根材の半山部の間を通して上方に延出し上端に一側の半山部の係止部を上側から係止する第１の係止部と他側の半山部の係止部を上側から係止する第２の係止部が設けられた垂直部が形成され、
前記係合突部は、上面の前記断熱材の一側端面側に長手方向に沿って全長に亘り樋が形成されていることを特徴としている。
【００１２】
金属屋根材は、金属製の上板と金属製の下板との間に断熱材が一体化されていることにより断熱性を有している。この金属屋根材の係合突部に接続金具の水平部を載置してセルフドリリングビスにより母屋に共締め固定する。金属屋根材の係合突部を一側の下部に形成することにより、係合突部上面から母屋まで距離が短くなり、断熱材を貫通させて母屋に固定するセルフドリリングビスの長さを、従来のものに比べて短く（略１／３程度）することができ、セルフドリリングビスのコストの低減を図ることができる。また、セルフドリリングビスが短くなることにより、強度が高くなると共に係合突部に真っ直ぐにねじ込むことが容易となり、施工性が向上する。
【００１３】
この金属屋根材に隣接して新たに葺く金属屋根材の係合凹部を前記固定した金属屋根材の係合突部に係合させると共に、接続金具の垂直部の先端に形成された係止部により隣接する金属屋根材の断熱材を係止する。そして、先に葺いた金属屋根材の半山部に新たに葺いた隣接する金属屋根材の半山部を当接させる。隣接する半山部は一つの山部を形成し、係止部も一つの山部を形成する。この一つの山部を形成する係止部にキャップを装着して、両側部の下部の係止部を一つの山部を形成する係止部の両方の下端に係止させ、両方の下端部を各半山部の上面（表面）に当接させる。
【００１４】
キャップは、両方の係止部が一つの山形を形成する係止部の両方の下端に係止されることにより、逸脱が防止され、各下端部が各半山部の上面に当接することで雨水の浸入を防止する。また、半山部の係止部は、上板の半山部の上部を上方に延出させ、先端を半山部側に折り返して形成され、下端がキャップの係止部を係止しており、更に、キャップの下端部が半山部の上面に当接することにより、雨水の浸入を極めて有効に防止することができる。このようにして、順次金属屋根材を隣接させて接続する。
【００１６】
また、隣接する金属屋根材の係合突部に形成した上端から下端まで内側に傾斜するテーパ面と隣接する金属屋根材の対向する係合凹部の上端から下端まで外側に傾斜するテーパ面とを当接させることにより、係合凹部のテーパ面が係合突部のテーパ面により上から抑えられて係合凹部が浮き上がることが防止される。これにより、隣接する金属屋根材の係合凹部側の浮き上がりを有効に防止することができ、金属屋根材の負圧に対する強度を高めることができる。
【００１７】
また、セルフドリリングビスの頭部が係合凹部内に収容されることにより、セルフドリリングビスの頭部が金属屋根材の上部（外部）に突出することがなく、雨水がセルフドリリングビスを伝わって接続部分に浸入することを防止することができる。また、セルフドリリングビスが外部から見えなくなり、見栄えも良い。
【００１９】
また、隣接する金属屋根材の当接する半山部の上部にキャップを装着して雨水の浸入を防止しているが、万一半山部の当接部分から接続部内に雨水が浸入したり、或いはキャップ内において結露した水が接続部内に浸入したりした場合、この浸入した水は、係合突部上面に設けた樋に流れ込み、外部に排出される。これにより、金属屋根材の接続部からの雨漏りを防止することができる。
【００２１】
また、接続金具の水平部を係合突部に載置し、接続金具の垂直部の上端に形成した第１の係止部を当該金属屋根材の半山部の係止部に上側から被せて係止し、セルフドリリングビスにより水平部と係合突部とを母屋に共締め固定する。そして、隣接する金属屋根材の係合凹部を係合させ、接続金具の垂直部をこれらの隣接する金属屋根材の各半山部の上部の間を通して上方に延出させ、上端に形成された第２の係止部を隣接する金属屋根材の半山部の係止部を上側（外側）から押さえ込むように折曲させて被せ当該係止部を固定する。このようにして、隣接する金属屋根材の係止部を接続固定する。
【発明の効果】
【００２２】
本発明によれば、金属屋根材の一側の下部に係合突部を、他側の下部に係合凹部を形成することにより、係合突部の上面から母屋まで距離が短くなり、係合突部を貫通させて母屋に固定するセルフドリリングビスの長さを、従来のものに比べて短くすることができ、セルフドリリングビスのコストの低減を図ることができる。また、セルフドリリングビスが短くなることにより強度が高くなると共に、係合突部を真っ直ぐにねじ込むことが容易となり、施工性が向上する。また、接続金具の構造の簡単であり、コストや施工性に優れている。
【００２３】
また、隣接する金属屋根材の係合突部と係合凹部とをテーパ面により係止させることにより、金属屋根材の浮き上がりを防止することができ、金属屋根材の負圧に対する強度を高めることができる。
【００２４】
また、万一半山部の当接部分から接続部内に雨水が浸入したり、或いはキャップ内において結露した水が接続部内に浸入したりした場合でも、浸入した水を係合突部上面に設けた樋を通して外部に排出することができ、金属屋根材の接続部からの雨漏りを防止することができる。
【図面の簡単な説明】
【００２５】
【図１】本発明の一実施形態に係る金属屋根材の接続構造により接続した金属屋根材の一部断面図である。
【図２】図１に示した金属屋根材の両側部の拡大図である。
【図３】図１に示した接続金具の斜視図である。
【図４】図１に示した隣接する金属屋根材の山部に装着するキャップの斜視図である。
【図５】図１に示した金属屋根材の接続部の拡大図である。
【図６】本発明に係る接続金具の他の実施例を示す斜視図である。
【図７】図６に示した接続金具を使用した隣接する金属屋根材の接続部の断面図である。
【図８】従来の金属屋根材の接続構造の説明図である。
【発明を実施するための形態】
【００２６】
以下、本発明の一実施形態に係る金属屋根材の接続構造について図面に基づいて説明する。図１は、本発明の一実施形態に係る金属屋根材の接続構造の断面図、図２は、図１に示す金属屋根材の両側部の拡大図である。
【００２７】
図１に示すように金属屋根材２１は、縦葺の屋根材で、両側に長手方向に沿って全長に亘り半山部２１ａ，２１ｂが形成され、谷部の略中央に山部２１ｃが形成されている。この金属屋根材２１は、金属製の上板（屋根材）２２と下板２３との間に断熱材２４を一体化して形成されている。上板２２、下板２３は、耐食性に優れた、例えばガルバリウム鋼板によりロール成形され、全面に防錆塗装が施されており、上板２２の表面（上面）に所定のカラー塗装が施されている。断熱材２４は、例えば発泡ウレタンやグラスウール等が使用される。
【００２８】
金属屋根材２１は、一側の下部に係合突部２１ｅが、他側の下部に係合凹部２１ｆが長手方向に沿って全長に亘り形成されており、当該金属屋根材２１の左右両側に隣接する金属屋根材２１，２１の対応する係合凹部２１ｆと係合突部２１ｅとを係合させて図中右方向に順次接続可能とされている。図１の中央に位置する金属屋根材２１は、係合突部２１ｅが接続金具２５を介してセルフドリリングビス２６により母屋（屋根下地）３０に固定されている。左側の金属屋根材２１の係合突部２１ｅも同様にして母屋３０に固定されている。セルフドリリングビス２６は、後述する図５に示すように軸部２６ｂの先端に切刃２６ｃが形成されており、係合突部２１ｅをねじ込みながら貫通し、母屋３０にねじ込むようになっている。
【００２９】
図１に示す中央に位置する金属屋根材２１の左側の係合凹部２１ｆが左隣の金属屋根材２１の右側の係合突部２１ｅと係合して接続され、右側の係合突部２１ｅに右隣の金属屋根材２１の左側の係合凹部２１ｆが係合されて接続される。そして、左右に隣接する金属屋根材の半山部２１ａと２１ｂとにより一つの山部２１ｄが形成され、この山部２１ｄの上部にキャップ２７が装着される。このようにして、金属屋根材２１が図１の左側から右側に向って順次接続されて母屋３０に固定される。この母屋３０は、例えばＣ形鋼とされており、図示しない梁に固定されている。
【００３０】
図２に示すように上板２２は、両側の半山部２１ａ，２１ｂの端部において上方に略垂直に折曲されて上部２２ａ，２２ｂをなし、これらの上端がそれぞれ半山部２１ａ，２１ｂ側に向って略逆Ｕ字形状に折り返されて係止部２２ｃ，２２ｄが形成されている。
【００３１】
下板２３には、金属屋根材２１の係合突部２１ｅと係合凹部２１ｆを形成するための係合突部２３ａと係合凹部２３ｂが形成されている。係合突部２３ａは、下板２３の一側が長手方向に沿って全長に亘り断面略角形をなして側方に突出し、端部２３ｃが半山部２１ａの上部２２ａに向って上方に延出し、上端２３ｄが半山部２１ａの下方位置において内側に略逆Ｕ字形状に折り返されて形成されている。上面２３ｅは平面でかつ斜めに形成されており、端部２３ｃ側に長手方向に沿って全長に亘り樋２３ｆが形成されている。また、端面２３ｇは、上端から下端まで内側に傾斜するテーパ面に形成されている。
【００３２】
係合突部２３ａの高さは、例えば金属屋根材２１の谷部の高さの略半分程度とされており、半山部２１ａの高さの略１／３程度とされている。即ち、係合突部２３ａの高さは、半山部２１ａの高さの数分の一程度に形成されている。尚、係合突部２３ａの高さは、金属屋根材２１の形状に応じて適宜設定可能である。
【００３３】
係合凹部２３ｂは、下板２３の他側が長手方向に沿って全長に亘り係合突部２３ａと係合可能に凹み、端部２３ｈが半山部２１ｂの上部２２ｂに向って上方に延出し、上端２３ｉが半山部２１ｂの下方位置において内側に略逆Ｕ字形状に折り返されて形成されている。係合凹部２３ｂは、係合突部２３ａのテーパ面をなす端面２３ｇと対向する端面２３ｊが、端面２３ｇのテーパ面に応じて上端から下端まで外側に傾斜するテーパ面に形成されている。また、係合凹部２３ｂの上部にセルフドリリングビス２６の頭部２６ａを収容する収容部２３ｋが設けられている。
【００３４】
断熱材２４は、これらの上板２２と下板２３との間に充填されて一体化されている。断熱材２４の一側の端面２４ａは、係合突部２３ａの端部２３ｃと面一をなし、上端２３ｄが端面２４ａに固定されている。断熱材２４の他側の端面２４ｂは、係合凹部２３ｂの端部２３ｈと面一をなし、上端２３ｉが端面２４ｂに固定されている。このようにして、金属屋根材２１の係合突部２１ｅと係合凹部２１ｆが形成されている。
【００３５】
図３に示すように接続金具２５は、略Ｌ字形状をなし、水平部２５ａと垂直部２５ｂが形成されている。水平部２５ａは、略中央にセルフドリリングビス２６を貫通させるための孔２５ｃが設けられている。垂直部２５ｂは、上端が水平部２５ａ側に略直角に折曲されて複数、例えば２つの係止部２５ｄが間隔を存して形成されている。これらの係止部２５ｄの両側部は、テーパ状に切り欠かれている。この接続金具２５もガルバリウム鋼板で形成されて全面に防錆塗装が施されている。
【００３６】
係止部２５ｄは、断熱材２４の端面２４ｂの、係合凹部２３ｂの上端２３ｉよりも上方かつ半山部２１ｂにおける上板２２よりも下方位置に突き刺されて隣接する金属屋根材２１を接続する。係止部２５ｄは、両側部がテーパ状に切り欠かれていることで、断熱材２４の端面２４ｂに突き刺し易くなっている。また、上板２２と係合凹部２３ｂの上端２３ｉとが離隔し、接続金具２５の係止部２５ｄが上板２２と係合凹部２３ｂの上端２３ｉと離隔することで、上板２２と接続金具２５とが熱的に完全に遮断される。
【００３７】
図４に示すようにキャップ２７は、適宜の長さに設定されており、断面が角形の略逆Ｕ字形状をなしている。キャップ２７の両側部２７ａ，２７ａの下部は、それぞれ内側に略Ｌ字形状にくびれて係止部２７ｂ，２７ｂとされている。係止部２７ｂ，２７ｂは、隣接する金属屋根材２１，２１の半山部２１ａ，２１ｂの上板２２の係止部２２ｃ，２２ｄの先端に係止可能とされている。また、下端部２７ｃ，２７ｃは、内側に折り返されており、隣接する金属屋根材２１，２１の半山部２１ａ，２１ｂの上板２２，２２上面に弾性的に当接可能とされている。このキャップ２７も、上板２２と同様にガルバリウム鋼板によりロール成形され、全面に防錆塗装が施され、表面（上面）に上板２２と同色のカラー塗装が施されている。
【００３８】
次に、図２及び図５により上記金属屋根材２１を接続する場合について説明する。図５に示すように母屋３０に金属屋根材２１を載置し、係合突部２１ｅ（２３ａ）の上面に接続金具２５の水平部２５ａを載置し、垂直部２５ｂを端部２３ｃ及び断熱材２４の一側の端面２４ａに当接させ、係止部２５ｄを外側に向けて配置する。この状態において、垂直部２５ｂが樋２３ｆの略真上に位置している。
【００３９】
次に、接続金具２５の水平部２５ａの孔２５ｃにセルフドリリングビス２６を貫通させて係合突部２１ｅをねじ込みながら貫通させて母屋３０にねじ込む。このようにして、金属屋根材２１の係合突部２１ｅを母屋３０に固定する。接続金具２５は、金属屋根材２１を母屋３０に固定する吊子としての機能を有している。係合突部２１ｅは、半山部２１ａよりも低く形成されているために短いセルフドリリングビス２６を使用することができる。これにより、セルフドリリングビス２６を、真っ直ぐに係合突部２１ｅを貫通させて母屋３０にねじ込むことができる。この結果、施工性が向上する。
【００４０】
次に、当該金属屋根材２１の右隣に新たに葺く金属屋根材２１を配置し、その係合凹部２１ｆ（２３ｂ）を左側の金属屋根材２１の係合突部２１ｅに係合させる。そして、係合凹部２１ｆのテーパ面をなす端面２３ｊを対向する係合突部２１ｅのテーパ面をなす端面２３ｇに当接させ、セルフドリリングビス２６の頭部２６ａを収容部２３ｋに収容し、断熱材２４の他側の端面２４ｂに接続金具２５の係止部２５ｄを突き刺して（食い込ませて）係止（接続）する。そして、図５に示すように左側の金属屋根材２１の断熱材２４の一側の端面２４ａに右側の金属屋根材２１の断熱材２４の他側の端面２４ｂを当接させると共に、左右の金属屋根材２１，２１の半山部２１ａと２１ｂを形成している上板２２と２２の上部２２ａと２２ｂとを当接させる。
【００４１】
左側の金属屋根材２１の係合突部２１ｅの端面２３ｇが上端から下端に向けて内側に向って傾斜するテーパ面をなし、右側の金属屋根材２１の係合凹部２１ｆの端面２３ｊが上端から下端に向けて外側に傾斜するテーパ面をなし、これらが当接していることで、係合凹部２１ｆの上方への浮き上がりが防止される。これにより、負圧による右側の金属屋根材２１の係合凹部２１ｆ側の浮き上がりが防止される。
【００４２】
そして、図１に示すように左右両側の隣接する金属屋根材２１，２１の半山部２１ａと２１ｂとにより一つの山部２１ｄが形成される。また、図２に示す半山部２１ａと２１ｂを形成する上板２２，２２の略Ｕ字形状に折曲された係止部２２ｃと２２ｄとにより一つの山形をなす係止部が形成される。
【００４３】
次に、図５に示すように一つの山形をなす係止部２２ｃ，２２ｄの上に全長に亘りキャップ２７を装着する。キャップ２７の両側部２７ａ，２７ａの下部の略Ｌ字形状にくびれた係止部２７ｂ，２７ｂが係止部２２ｃ，２２ｄの下端に係止され、下端部２７ｃ，２７ｃが半山部２１ａ，２１ｂの上板２２，２２の上面に弾性的に当接する。従って、キャップ２７の下端部２７ｃと上板２２との間から雨水が浸入し難くなる。また、雨水が浸入した場合でも逆Ｕ字状に折り返された係止部２２ｃ，２２ｄにより阻止され、接続部の内部にこの雨水が浸入することを防止する。これにより、雨漏りが防止される。また、セルフドリリングビス２６は、接続部の係合凹部２１ｆ内に収容されていることにより、セルフドリリングビス２６からの雨水の浸入が防止され、雨漏りが防止される。
【００４４】
また、雨水が係止部２２ｃ，２２ｄとキャップ２７の係止部２７ｂ，２７ｂとの間から浸入して上部に至り、係止部２２ｃと２２ｄとの当接面を伝わって接続部内に浸入する場合や、キャップ２７内で結露した水が係止部２２ｃと２２ｄとの当接面を伝わって接続部内に浸入する場合があり得る。この場合、浸入した雨水や結露した水は、係合突部２１ｅの上面に形成された樋２３ｆに流れ込み、金属屋根材２１の外部に排出される。これにより、接続部からの雨漏りを防止することができる。
【００４５】
更に、当接している係止部２２ｃ，２２ｄの上面に防水テープ２８を貼着することにより、雪国において特に、縦葺きの屋根、縦葺きの長尺屋根に多く見られる所謂「すが漏れ」と称する雨漏りを極めて有効に防止することができる。尚、防水テープ２８は、「すが漏れ」対策に限るものではなく、通常の施工に使用しても良い。また、防水テープ２８は、係止部２２ｃと２２ｄとの間に介在させても良い。
【００４６】
また、金属屋根材２１の上板２２と接続金具２５とが離隔して熱的に遮断されていることにより、金属屋根材２１が母屋３０に熱的に遮断されて固定され、太陽熱による熱膨張に起因する金属屋根材２１の変形や、これに伴う雨漏り等を防止することができる。
【００４７】
図６は、図３に示した接続金具２５の他の実施例を示す。接続金具２９は、略Ｌ字形状をなし、水平部２９ａと垂直部２９ｂが形成されている。水平部２９ａは、係合突部２１ｅの上面に載置可能とされ、略中央にセルフドリリングビス２６を貫通させるための孔２９ｃが設けられている。垂直部２９ｂは、上端に複数例えば３個の係止部２９ｄ，２９ｅ，２９ｆが形成されている。これらの係止部２９ｄ，２９ｅ，２９ｆは、上端が３分割されて形成されている。
【００４８】
そして、両側の係止部２９ｄと２９ｆは、第１の係止部とされ、一側に断面略逆Ｕ字形状に折り返されて金属屋根材２１の半山部２１ａの上端の係止部２２ｃを上側（外側）から被せて押さえ込むように形成されている。また、中央部の係止部２９ｅは、第２の係止部とされ、垂直部２９ｂに沿って垂直をなしている。この係止部２９ｅは、隣接する金属屋根材２１の半山部２１ｂの上端の係止部２２ｄを上側（外側）から被せて押さえ込むように折曲される。この接続金具２９もガルバリウム鋼板で形成されており、表面が塩化ビニル等の熱絶縁部材（断熱部材）によりコーティングされている。
【００４９】
図７は、図６に示した接続金具２９により隣接する金属屋根材２１、２１を接続した状態の説明図である。図７において図５と同一部材には同一符号を付して詳細な説明を省略する。尚、図７に示すように接続金具２９の上端部の係止部２９ｄ，２９ｆを、図中左側の金属屋根材２１の半山部２１ａの上端の係止部２２ｃを上側（外側）から被せるように係合し、水平部２９ａを係合突部２１ｅに載置してセルフドリリングビス２６により母屋３０に固定する。
【００５０】
次に、左側の金属屋根材２１の右隣に新たに葺く金属屋根材２１を配置し、その係合凹部２１ｆを左側の金属屋根材２１の係合突部２１ｅに係合させる。次いで、接続金具２９の中央の係止部２９ｅを右側の金属屋根材２１の係止部２２ｄを上側（外側）から押さえ込むように折曲させて被せ当該係止部２２ｄを固定する。このようにして、左右の金属屋根材２１と２１の係止部２２ｃと２２ｄとを接続固定する。
【００５１】
また、接続金具２９は、水平部２９ａが金属屋根材２１の接合部の下板２３に当接し、垂直部２９ｂ及び係止部２９ｄ，２９ｅ，２９ｆが隣接する金属屋根材２１，２１の係止部２２ｃ，２２ｄに当接しているが、表面が熱絶縁部材（断熱部材）によりコーティングされているために金属屋根材２１と母屋３０とを熱的に絶縁している。このようにして、隣接する金属屋根材２１を順次接続して母屋３０に固定する。尚、前述と同様に接続金具２９の係止部２９ｄ〜２９ｆの上面に防水テープ２８を貼着しても良い。
【符号の説明】
【００５２】
１ａ，１ｂ    山部
２    谷部
３    金属屋根材
４    断熱材
５    セルフドリリングビス
６    パッキン
７    座金
９    軸
１０    切れ刃
１１    ビス頭
１２    キャップ受け
Ａ    屋根下地
Ｐ    折版屋根パネル
２１    金属屋根材
２１ａ，２１ｂ    半山部
２１ｃ，２１ｄ    山部
２１ｅ    係合突部
２１ｆ    係合凹部
２２  上板
２２ａ，２２ｂ    上部
２２ｃ，２２ｄ    係止部
２３    下板
２３ａ    係合突部
２３ｂ    係合凹部
２３ｃ    端部
２３ｄ    上端
２３ｅ    上面
２３ｆ    樋
２３ｇ    端面（テーパ面）
２３ｈ    端部
２３ｉ    上端
２３ｊ    端面（テーパ面）
２３ｋ    収容部
２４    断熱材
２４ａ，２４ｂ    端面
２５    接続金具
２５ａ    水平部
２５ｂ    垂直部
２５ｃ    孔
２５ｄ    係止部
２６    セルフドリリングビス
２６ａ    頭部
２６ｂ    軸部
２６ｃ    切刃
２７    キャップ
２７ａ    側部
２７ｂ    係止部
２７ｃ    下端部
２８    防水テープ
２９    接続金具
２９ａ    水平部
２９ｂ    垂直部
２９ｃ    孔
２９ｄ，２９ｆ    第１の係止部
２９ｅ    第２の係止部
３０    母屋
【図１】
0005574413.tif 000002
【図２】
0005574413.tif 000003
【図３】
0005574413.tif 000004
【図４】
0005574413.tif 000005
【図５】
0005574413.tif 000006
【図６】
0005574413.tif 000007
【図７】
0005574413.tif 000008
【図８】
0005574413.tif 000009